(57)【特許請求の範囲】
【請求項１】
急速暖房運転モードを指定できる室内機と、
圧縮機と、同圧縮機を加熱するヒータと、運転停止信号を受けてスリープ状態となり、解除信号の入力により前記スリープ状態が解除される制御部と、前記スリープ状態時に前記圧縮機の温度を検出し、検出した前記圧縮機の温度に応じて前記解除信号を出力する温度検出部とを備えた空気調和機であって、
前記室内機は、前記制御部に前記運転停止信号および前記急速暖房運転モードの指定の有無を示す急速暖房運転設定信号を出力し、
同急速暖房運転設定信号が、前記急速暖房運転モードを指定している場合、
前記運転停止信号が入力された前記制御部は、前記スリープ状態となり、  
前記温度検出部は、検出した前記圧縮機の温度が第１の圧縮機温度以下となった場合に前記解除信号を出力し、
前記解除信号が入力された前記制御部は、スリープ状態が解除され、
前記スリープ状態が解除された前記制御部は、前記ヒータに通電して前記圧縮機の予熱を行う圧縮機予熱モードの制御を開始する一方、
前記急速暖房運転設定信号が、前記急速暖房運転モードを指定していない場合、
前記温度検出部は、検出した前記圧縮機の温度が、前記第１の圧縮機温度よりも低い第２の圧縮機温度以下となった場合に前記解除信号を出力し、
前記解除信号が入力された前記制御部は、スリープ状態が解除され
前記スリープ状態が解除された前記制御部は、前記ヒータに通電して前記圧縮機内での冷媒の凝縮を防止する圧縮機加熱モードの制御を開始することを特徴とする空気調和機。
【発明の詳細な説明】
【技術分野】
【０００１】
本発明は、空気調和機に係わり、特に、待機時の消費電力を低減することができる空気調和機に関する。
【背景技術】
【０００２】
従来、空気調和機で暖房運転を開始すると、室外機に備えられた圧縮機は直ちに起動して冷媒の圧縮を開始するが、起動時点では圧縮機温度が外気温度に近い温度となっており、圧縮機温度が十分に上昇するまでは圧縮機より吐出されるガス冷媒の温度が上昇しない。ガス冷媒の温度上昇に時間がかかると、室内機側熱交換器の温度上昇も時間がかかるため、室内温度が所定の温度（設定温度）まで上昇するのに時間がかかり、急速暖房が行えないという問題がある。
【０００３】
また、外気温度が低温（例えば、氷点下）の時には、圧縮機内部に滞留する冷媒が凝縮して液化し、圧縮機の潤滑油中に液化した冷媒が多量に溶け込むという問題がある。このような状態で室外機が暖房運転を開始して圧縮機の運転を開始しようとすると、圧縮機中で液冷媒のフォーミング（泡立ち）が発生し、これによって潤滑油が圧縮機外へ持ち出されて潤滑油が減少する、所謂オイルフォーミング現象が発生する。オイルフォーミング現象が発生すると、圧縮機の摺動部が潤滑不良となり、圧縮機の寿命が低下し、最悪の場合は圧縮機が故障する虞がある。
【０００４】
以上のような問題を解決するために、圧縮機にヒータを備え、圧縮機が運転を停止している時はヒータに通電を行なって圧縮機を加熱することで、暖房運転時の急速暖房を実現し、また、低外気温時の圧縮機内での冷媒の凝縮を抑える空気調和機が提案されている。
しかし、圧縮機停止中に常にヒータにより圧縮機の加熱を行うと、ヒータでの消費電力が増大し、空気調和機の運転停止時の消費電力、所謂待機電力が増大して省エネルギー運転に反するという問題があった。
【０００５】
待機電力を低減するために、圧縮機の運転停止時に、圧縮機に備えられたヒータを、所定の条件に従って通電／非通電のいずれかとしたり、通電と非通電とを一定時間で繰り返すよう制御を行うことで、ヒータの消費電力を低減しつつ、急速暖房が要求される場合の圧縮機の予熱や、低外気温時の冷媒凝縮を抑制する空気調和機が提案されている（例えば、特許文献１および特許文献２を参照）。
【０００６】
特許文献１に記載されているのは、圧縮機と、圧縮機を加熱するヒータとを備えた空気調和機であって、圧縮機の停止時に、室外機に備えられた外気温度センサで検出した外気温度や、外気温度から室内温度を差し引いた値に応じて、ヒータの通電／非通電を行う、あるいは、ヒータへの通電／非通電を一定時間で繰り返すよう制御を行っている。従って、空気調和機の運転停止時における待機電力を低減でき、かつ、圧縮機の予熱や冷媒凝縮防止の為の加熱を行うことができる。
【０００７】
しかし、このような空気調和機では、外気温度等を検出しこれに応じてヒータへの通電を制御するために、室外機の運転停止時においても室外機の制御部を常に動作させる必要がある。つまり、室外機制御部には、常に電力供給を行う必要があるため、室外機制御部での消費電力の低減を行なうことができず、更なる待機電力の低減が行なえないという問題があった。
【０００８】
一方、特許文献２には、圧縮機と、圧縮機を加熱するヒータとを備えた空気調和機であって、室外機が運転を停止している時に、室内機から室外機に電力を供給する電源ラインに備えられた開閉器をオンし、室外機（室外機制御部）に電力を供給して室外機が外気温度を検出するものが記載されている。
【０００９】
そして、検出した外気温度に応じて、開閉器をオンとして、ヒータに通電して圧縮機を加熱する時間と、開閉器をオフとして、室外機への電力供給をストップするインターバル時間とを決定する。このため、室外機への電力供給がストップされ、室外機制御部での消費電力を低減することができ、待機電力を大幅に低減することができる。
【００１０】
しかし、この空気調和機では、検出した外気温度が高いほどインターバル時間を長くしており、例えば、検出した外気温度が７℃〜１５℃である場合は、開閉器をオンとして圧縮機を加熱する時間を３０分、室外機への電力供給をストップするインターバル時間を６時間としている。
【００１１】
寒冷地における季節の変わり目、例えば、冬から春にかけての中間期では昼夜の温度差が激しく、夕方頃の外気温度が８℃で、日没後に急速に氷点下まで外気温度が低下する場合がある。この時期に、上述した加熱時間とインターバル時間が選択された場合、インターバル時間が経過して次に開閉器がオンとなる時間までに、外気温度が氷点下となっていることにより、圧縮機内の冷媒が凝縮する虞がある。
【００１２】
特許文献２に記載の空気調和機では、上述したような状態となっても対応することができず、圧縮機内の冷媒が凝縮した状態で、ユーザーの指示やタイマー運転等により暖房運転が開始されると、圧縮機中でオイルフォーミングが発生し、潤滑油が圧縮機外へ持ち出されて潤滑油が減少し、圧縮機の摺動部が潤滑不良となる虞があった。
【先行技術文献】
【特許文献】
【００１３】
【特許文献１】特開２００２−１０６９８１号公報（第２〜３頁、第２図）
【特許文献２】特開２０００−１９３３２５号公報（第３〜４頁、第１図、第４図）
【発明の概要】
【発明が解決しようとする課題】
【００１４】
本発明は以上述べた問題点を解決し、室外機制御部やヒータでの消費電力を低減して待機時の消費電力を低減し、かつ、圧縮機の予熱による急速暖房運転の確実な実行や、圧縮機内での冷媒凝縮の抑制を行える空気調和機を提供することを目的とする。
【課題を解決するための手段】
【００１５】
本発明は上述の課題を解決するものであって、本発明の空気調和機は、急速暖房運転モードを指定できる室内機と、圧縮機と、圧縮機を加熱するヒータと、運転停止信号を受けてスリープ状態となり、解除信号の入力によりスリープ状態が解除される制御部と、スリープ状態時に圧縮機の温度を検出し、検出した圧縮機の温度に応じて解除信号を出力する温度検出部とを備えたものである。そして、室内機は、制御部に運転停止信号および急速暖房運転モードの指定の有無を示す急速暖房運転設定信号を出力し、急速暖房運転設定信号が、急速暖房運転モードを指定している場合、運転停止信号が入力された制御部は、スリープ状態となるものである。さらには、温度検出部は、検出した圧縮機の温度が第１の圧縮機温度以下となった場合に解除信号を出力し、解除信号が入力されてスリープ状態が解除された制御部は、ヒータに通電して圧縮機の予熱を行う圧縮機予熱モードの制御を開始する。
【００１６】
一方、急速暖房運転設定信号が、急速暖房運転モードを指定していない場合、温度検出部は、検出した圧縮機の温度が、第１の圧縮機温度よりも低い第２の圧縮機温度以下となった場合に解除信号を出力し、解除信号が入力されてスリープ状態が解除された制御部は、ヒータに通電して圧縮機内での冷媒の凝縮を防止する圧縮機加熱モードの制御を開始するものである。
【発明の効果】
【００１８】
本発明の空気調和機の制御部は、急速暖房運転モードに設定されていない場合は、圧縮機の温度が、第１の圧縮機温度よりも低い第２の圧縮機温度以下となった時に、制御部のスリープ状態が解除されて圧縮機加熱モードで制御を行うので、さらに待機電力を低減できると共に、低外気温時における圧縮機内での冷媒の凝縮を防止することができる。従って、オイルフォーミング現象により潤滑油が圧縮機外へ持ち出されて潤滑油が減少し、圧縮機の摺動部が潤滑不良となることを防ぐことができ、圧縮機の寿命を延ばすことができる。
【図面の簡単な説明】
【００１９】
【図１】本発明の実施例である空気調和機の要部構成ブロック図である。
【図２】本発明の実施例における、圧縮機の温度検出による室外機制御部のスリープ状態の解除を説明するブロック図である。
【図３】本発明に関わる処理の流れを説明するためのフローチャートである。
【発明を実施するための形態】
【００２０】
以下、本発明の実施の形態を、添付図面に基づいて詳細に説明する。実施例としては、１台の室外機と、１台の室内機とを有する空気調和機を例に挙げて説明する。尚、本発明は以下の実施形態に限定されることはなく、本発明の主旨を逸脱しない範囲で種々変形することができる。
【実施例】
【００２１】
図１に示すように、本発明の空気調和機は、１台の室外機１と１台の室内機３０とで構成されている。室外機１は、整流回路３と、インバータ４と、圧縮機５と、圧縮機５に備えられたヒータ１１と、図示しない室外機ファンを回転するファンモータ６と、図示しない室外熱交換器の温度や外気温度等を検出する各温度センサ８と、圧縮機５の冷媒吸込圧力や吐出圧力を検出する各圧力センサ９と、これら各温度センサ８や各圧力センサ９で検出した情報を入力するセンサ入力部７と、通信部１０と、温度検出部２０と、これらを制御する室外機制御部２と、を備えている。
【００２２】
尚、室外機１には、これら以外に、アキュムレータ、冷媒配管、室外機制御部２や通信部１０と、温度検出部２０等を搭載した制御基板及び電源基板を格納した電装品箱、各種弁類、各種センサ類等、室外機１の動作に必要な各種装置や部品が備えられているが、本発明に直接関係がないため、図示と詳細な説明は省略する。
【００２３】
整流回路３は、交流電源４０から供給される交流電圧を整流して直流電圧として出力する回路であり、ブリッジダイオード等で構成されている。整流回路３で整流された直流電圧は、図示しない平滑コンデンサで平滑化される。
【００２４】
インバータ４は、直流電圧を入力して圧縮機５に備えられた図示しないモータ（３相ブラシレスモータ）をインバータ制御にて駆動する回路であり、複数のパワートランジスタ等のスイッチング素子や、スイッチング素子を保護するための複数のフリーホイールダイオードで構成されている。
【００２５】
インバータ４及び圧縮機５は電気的に接続されており、上述したように、交流電源４０から供給される交流電圧を整流回路３で整流し直流電圧としてインバータ４に入力し、インバータ４は圧縮機５をインバータ制御にて駆動する。
【００２６】
圧縮機５は、インバータ４により回転数が制御されるモータによって駆動されることで運転能力を可変することができる。図２に示すように、圧縮機５の密閉容器下部には、ベルトヒータやクランクケースヒータ等の公知のヒータ１１が備えられており、ヒータ１１に通電を行うことにより圧縮機５を加熱することができる。
【００２７】
室外機制御部２は、室外機１の制御を行うために設けられ、図２に示すように、内部にＲＯＭ、ＲＡＭといった記憶部を有するマイコン２ａ等を有している。室外機制御部２は、センサ入力部７を介して各温度センサ８や各圧力センサ９で検出した情報や、後述する室内機３０との通信内容に応じて、インバータ４の制御や、ファンモータ６の回転制御等の室外機１の制御を行っている。
【００２８】
図２に示すように、マイコン２ａには、外部に接続する機器からの割り込み処理要求のための信号を入力する割込ポートＡおよびＢ、外部に接続する機器へＨｉ／Ｌｏ信号を出力する出力ポートＣ、外部に接続する機器から入力したアナログ信号をデジタル信号に変換するＡ／ＤポートＥが、それぞれ備えられている。尚、マイコン２ａには、上述したポート以外にも各種入出力ポート等が複数備えられている。また、割込ポートＡおよびＢは立ち上がりエッジで割り込みがかかるようになっている。
【００２９】
温度検出部２０は、圧縮機５の温度を検出し、検出した温度に応じて室外機制御部２にＨｉ／Ｌｏ信号を出力する。図２に示すように、温度検出部２０は、サーミスタ２１と、コンパレータ２２と、抵抗Ｒ１〜Ｒ４と、ダイオードＤとを備えている。サーミスタ２１は、一端が電源電圧Ｖ（例えば５ボルト）に、他端が接続点Ｙを介してマイコン２ａのＡ／ＤポートＥに、それぞれ接続されている。
【００３０】
抵抗Ｒ１および抵抗Ｒ２は、各々の一端が接続点Ｘで接続されて直列接続とされており、抵抗Ｒ１の他端は電源電圧Ｖに接続され、抵抗Ｒ２の他端は接地されている。また、抵抗Ｒ１と抵抗Ｒ２との接続点Ｘは、コンパレータ２２の非反転入力端子に接続されている。
【００３１】
抵抗Ｒ３の一端は、接続点Ｙを介してコンパレータ２２の反転入力端子およびサーミスタ２１に接続されており、他端は接地されている。また、抵抗Ｒ４は、一端が接続点Ｚを介してコンパレータ２２の非反転入力端子および接続点Ｘに、他端はダイオードＤのアノード側に、それぞれ接続されている。ダイオードＤのカソード側は、マイコン２ａの出力ポートＣに接続されている。
尚、コンパレータ２２の出力端子は、マイコン２ａの割込ポートＢに接続されており、マイコン２ａの割込ポートＡには、通信部１０が接続されている。
【００３２】
図２に示すように、サーミスタ２１は、圧縮機５の密閉容器近傍に配置されている。このサーミスタ２１は、温度の上昇に対して抵抗が減少する特性を有するＮＴＣサーミスタである。コンパレータ２２は、非反転入力端子に入力した電位と反転入力端子に入力した電位とを比較し、非反転入力端子の電位より反転入力端子の電位が高い場合は出力端子よりＬｏ信号を出力し、逆の場合は出力端子よりＨｉ信号を出力する。
【００３３】
室内機３０は、図示は省略しているが、室内熱交換器や送風ファン、各種弁類や各種センサ類等を備えており、これらを室内機制御部３１が制御している。室内機制御部３１は、室内機３０の制御を行うために設けられたマイコンや、ＲＯＭ、ＲＡＭといった記憶部等を有しており、各種センサで検出した情報や、図示しないリモコンから送信された制御情報に応じて室内機３０を制御するとともに、室外機制御部２との間で、通信部１０を介して空調運転に必要な制御信号のやりとりを行なっている。
【００３４】
また、室外機１と室内機３０とは、冷媒配管で相互に接続されて冷媒回路を形成しており、室外機１内部では、主として圧縮機５や室外熱交換器、アキュムレータ等が冷媒配管で相互に接続されて室外冷媒回路が、室内機３０内部では、主として室内熱交換器や各種弁類等が冷媒配管で相互に接続されて室内冷媒回路が、それぞれ形成されている。本実施例における空気調和機では、これら冷媒回路内に冷媒を流通させることによって空調運転を行なっているが、本発明と直接関係がないため、詳細な配管の説明や動作については図示と説明を省略する。
【００３５】
次に、本実施例における空気調和機が運転を停止している時に動作する圧縮機予熱モードと圧縮機加熱モードについて説明する。圧縮機予熱モードとは、急速暖房が設定されている場合に圧縮機５の予熱を行うものであり、圧縮機加熱モードは、低外気温時の圧縮機５内部での冷媒凝縮を防止するために圧縮機５の加熱を行うものである。
【００３６】
使用者のリモコン操作による、あるいは、タイマー運転による空気調和機の運転停止を室内機制御部３１が認識すると、室内機制御部３１は、室外機１に運転停止信号と共に、使用者が空気調和機の運転中に設定した急速暖房運転の要否に対応した急速暖房運転設定信号を送信する。通信部１０を介して運転停止信号および急速暖房運転設定信号を受信した室外機制御部２は、圧縮機５やファンモータ６の運転を停止すると共に、マイコン２ａの出力ポートＣから出力する信号を決定する。
【００３７】
具体的には、入力した急速暖房運転設定信号が、空気調和機の運転開始時に急速暖房運転を行なうことを示している場合は、出力ポートＣからＨｉ信号を出力し、急速暖房運転を行なわないことを示している場合は、出力ポートＣからＬｏ信号を出力する。これにより、出力ポートＣからＨｉ信号を出力している時は、接続点Ｚから出力ポートＣを見たインピーダンスがハイインピーダンスとなるため、接続点Ｚと接地間には抵抗Ｒ２が直列に接続された状態となる。また、出力ポートＣからＬｏ信号を出力している時は、接続点Ｚから出力ポートＣを見たインピーダンスがローインピーダンスとなるため、接続点Ｚと接地間には抵抗Ｒ２と抵抗Ｒ４とが並列に接続された状態となる。
【００３８】
出力ポートＣの出力を急速暖房運転設定信号に応じて決定した後、室外機制御部２のマイコン２ａは停止して、低消費電力となるスリープ状態に移行する。割込ポートＡに室内機３０からのスリープ状態解除信号が、あるいは、割込ポートＢに温度検出部２０からスリープ状態解除信号が入力されると、マイコン２ａのスリープ状態が解除される。尚、以下の説明では、割込ポートＡあるいは割込ポートＢに、Ｈｉ信号が入力されるとマイコン２ａのスリープ状態が解除されるよう設定されているものとする。
【００３９】
まず、圧縮機予熱モードでの動作について説明する。室内機３０から運転停止信号と、急速暖房を行う旨の急速暖房運転設定信号が入力された場合、マイコン２ａは、圧縮機５の運転を停止し、出力ポートＣの出力をＨｉとした後、スリープ状態に移行する。
【００４０】
温度検出部２０は、常に電源電圧Ｖが供給されて動作している。温度検出部２０の構成は、上述したようにサーミスタ２１や各抵抗、コンパレータ２２等であるため、温度検出部２０での消費電力は低い。従って、運転停止時の室外機２での消費電力は、スリープ状態におけるマイコン２ａでの消費電力プラス温度検出部２０での消費電力となり、待機電力を非常に低くすることができる。
【００４１】
圧縮機５の温度が第１の圧縮機温度である所定の温度Ｔ１（例えば、５℃）以下となった時に、コンパレータ２２からの出力をＨｉとし、マイコン２ａの割込ポートＢにＨｉ信号を入力してマイコン２ａのスリープ状態を解除したい場合は、所定の温度Ｔ１で、サーミスタ２１の抵抗Ｒｔｈと抵抗Ｒ３との分圧比が、抵抗Ｒ１と抵抗Ｒ２との分圧比より小さくなるような特性を有するサーミスタ２１を選べばよい。
【００４２】
圧縮機５が運転を停止してから時間が経過し、圧縮機５の温度が第１の圧縮機温度である所定の温度Ｔ１以下となると、反転入力端子の電圧Ｖｓ１が非反転入力端子の電圧Ｖ１より低くなるため、コンパレータ２２の出力端子からはＨｉ信号が出力される。
【００４３】
割込ポートＢにＨｉ信号が入力されたマイコン２ａは、スリープ状態が解除され起動する。マイコン２ａのＡ／ＤポートＥには、サーミスタ２１で検出した圧縮機５の温度と対応する電圧が入力され、マイコン２ａは現在の圧縮機５の温度を認識する。この温度が第１の圧縮機温度Ｔ１以下であれば、マイコン２ａは、ヒータ１１に通電を開始して圧縮機５の予熱を開始する圧縮機予熱モードでの運転を行う。
【００４４】
圧縮機予熱モードでの運転を行っている間も、マイコン２ａはサーミスタ２１で検出した圧縮機５の温度をモニタする。圧縮機５の温度が所定の温度（例えば、１０℃）を超えれば、ヒータ１１への通電を停止して圧縮機予熱モードでの運転を停止し、圧縮機５の温度が所定の温度を超えていなければ、圧縮機予熱モードでの運転を継続する。
【００４５】
以上のような制御を行うことで、室外機１の運転停止時における待機電力を極力抑えることができると共に、急速暖房運転が設定された場合にのみ圧縮機５の予熱を行うことができるので、低消費出力でかつ暖房運転開始時の急速暖房が確実に行うことができる。
【００４６】
次に、圧縮機加熱モードでの動作について説明する。室内機３０から運転停止信号のみを入力した場合、マイコン２ａは、圧縮機５の運転を停止し、出力ポートＣの出力をＬｏとした後、スリープ状態に移行する。
【００４７】
出力ポートＣの出力がＬｏであるため、抵抗Ｒ２と抵抗Ｒ４とが並列接続となり、抵抗Ｒ１と抵抗Ｒ２の時の接続点Ｘでの電圧より、抵抗Ｒ２と抵抗Ｒ４とが並列接続された時の接続点Ｘでの電圧の方が小さくなる。このため、非反転入力端子に入力される電圧（基準電圧）が低くなり、サーミスタ２１での検出温度が、抵抗Ｒ１と抵抗Ｒ２の場合よりもさらに低い温度で（＝サーミスタ２１の抵抗値がさらに高い値で）コンパレータ２２の出力端子からの出力がＨｉとなる。
【００４８】
具体的には、サーミスタ２１で検出した圧縮機５の温度が、圧縮機予熱モードでの動作と比べて低い温度Ｔ２（例えば、０℃）以下となった時に、コンパレータ２２からの出力がＨｉとなり、マイコン２ａの割込ポートＢにＨｉ信号が入力されて、マイコン２ａのスリープ状態が解除される。
【００４９】
圧縮機５が運転を停止してから所定の時間が経過し、圧縮機５の温度が、第１の圧縮機温度Ｔ１よりも低い所定の温度である第２の圧縮機温度Ｔ２以下となると、反転入力端子の電圧Ｖｓ２が非反転入力端子の電圧Ｖ２よりも小さくなるため、コンパレータ２２の出力端子からはＨｉ信号が出力される。
【００５０】
割込ポートＢにＨｉ信号が入力されたマイコン２ａは、スリープ状態が解除され起動する。マイコン２ａのＡ／ＤポートＥには、サーミスタ２１で検出した圧縮機５の温度と対応する電圧が入力され、マイコン２ａは現在の圧縮機５の温度を認識する。この温度が第２の圧縮機温度Ｔ２以下であれば、マイコン２ａは、ヒータ１１に通電を開始して圧縮機５の加熱を開始する圧縮機加熱モードでの運転を行う。
【００５１】
圧縮機加熱モードでの運転を行っている間も、マイコン２ａはサーミスタ２１で検出した圧縮機５の温度をモニタする。圧縮機５の温度が所定の温度（例えば、１０℃）を超えれば、ヒータ１１への通電を停止して圧縮機加熱モードでの運転を停止し、圧縮機５の温度が所定の温度を超えていなければ、圧縮機加熱モードでの運転を継続する。
【００５２】
以上のような制御を行うことで、室外機１の運転停止時における待機電力を極力抑えることができると共に、圧縮機５内の冷媒が凝縮する虞のある低外気温時のみに圧縮機５の加熱を行うことができるので、低消費出力でかつ圧縮機５内での冷媒の凝縮を確実に防ぐことができる。
【００５３】
次に、図３に示す室外機制御部２での処理を表すフローチャートを用いて、本実施例における室外機１の運転停止時における圧縮機５の加熱を行う処理の流れについて説明する。尚、図３において、ＳＴは処理のステップを表し、これに続く数字はステップ番号を表している。また、以下の説明では、空気調和機全体の処理の流れを示すメインルーチンと、室外機制御部２のマイコン２ａに割込信号が入力され、スリープ状態から復帰する場合の処理の流れを示すスリープ状態からの復帰ルーチンについて説明することとし、使用者による空調運転の設定操作等といった、その他の一般的な処理の説明は省略する。
【００５４】
まず、メインルーチンについて説明する。室外機制御部２は、室内機３０より運転停止指示があったか否かを判断する（ＳＴ１）。室内機３０より運転停止指示がなければ（ＳＴ１−Ｎｏ）、室外機制御部２は、室内機３０からの運転指示内容や、各温度センサ８や各圧力センサ９で検出した値に応じて、室内機１の通常運転を行い（ＳＴ６）、ＳＴ１に処理を戻す。
【００５５】
室内機３０より運転停止指示があれば（ＳＴ１−Ｙｅｓ）、室外機制御部２は、圧縮機５の運転を停止する（ＳＴ２）。次に、室外機制御部２は、室内機３０から急速暖房運転設定信号を受信し、急速暖房運転指示があるか否かを判断する（ＳＴ３）。
【００５６】
急速暖房運転指示があれば（ＳＴ３−Ｙｅｓ）、室外機制御部２は、マイコン２ａの出力ポートＣからＨｉ信号を出力する（ＳＴ４）。そして、室外機制御部２はスリープ状態へ移行し（ＳＴ５）、処理を停止する。ＳＴ３において、急速暖房運転指示がなければ（ＳＴ３−Ｎｏ）、室外機制御部２は、マイコン２ａの出力ポートＣからＬｏ信号を出力する（ＳＴ７）。そして、室外機制御部２はスリープ状態へ移行し（ＳＴ５）、処理を停止する。
【００５７】
次に、スリープ状態からの復帰ルーチンについて説明する。室外機制御部２がスリープ状態である時に、使用者のリモコン操作による運転開始指示やタイマー運転等による、室内機３０からのデータ送信により、マイコン２ａの割込ポートＡに通信の割込信号が入力される、又は、圧縮機５の温度が第１の圧縮機温度Ｔ１以下もしくは第２の圧縮機温度Ｔ２以下となり、割込ポートＢに割込信号が入力された場合は、室外機制御部２はスリープ状態から復帰する。
【００５８】
スリープ状態から復帰した室外機制御部２は、室内機３０からの指示による起動（割込ポートＡへの入力）か否かを判断する（ＳＴ１０）。室内機３０からの指示による起動の場合は（ＳＴ１０−Ｙｅｓ）、メインルーチンへジャンプする（図３のメインルーチンにおける、（１）へジャンプする）。室内機３０からの指示による起動でない場合は（ＳＴ１０−Ｎｏ）、室外機制御部２は、ヒータ１１に電力供給を行い、圧縮機５の加熱を開始する（ＳＴ１１）。
【００５９】
次に室外機制御部２は、圧縮機予熱モードあるいは圧縮機加熱モードに応じて圧縮機５の加熱温度を決定して、指定された圧縮機温度となるよう動作する（ＳＴ１２）。
【００６０】
具体的には、室外機制御部２のマイコン２ａの出力ポートＣがＨｉとなっている場合は、急速暖房運転設定がなされているため圧縮機予熱モードの加熱温度となり、出力ポートＣがＬｏとなっている場合は、急速暖房運転設定がなされていないため圧縮機加熱モードの加熱温度となる。
【００６１】
次に室外機制御部２は、サーミスタ２１で検出した圧縮機５の温度が所定の温度に到達したか否かを判断する（ＳＴ１３）。圧縮機５の温度が所定の温度に到達していなければ（ＳＴ１３−Ｎｏ）、ＳＴ１２に処理を戻す。圧縮機５の温度が所定の温度に到達していれば（ＳＴ１３−Ｙｅｓ）、室外機制御部２は、ヒータ１１への電力供給を遮断して圧縮機５の加熱を停止する（ＳＴ１４）。そして、室外機制御部２はスリープ状態へ移行し（ＳＴ１５）、処理を停止する。
【００６２】
以上説明したように、本発明の空気調和機は、運転停止時に圧縮機を停止させた後、電力供給を受けた状態で全ての機能を停止させて消費電力を最小に抑えるスリープ状態へ移行する。そして、空気調和機が急速暖房運転モードに設定されている場合は、圧縮機の温度が第１の圧縮機温度以下となった時に、ハードウエア（温度検出部）からの割込信号により、制御部のスリープ状態が解除されて圧縮機予熱モードで制御を行うので、圧縮機停止時、すなわち、空気調和機が運転を停止している時の消費電力、所謂待機電力を低減すると共に、急速暖房運転モードでの運転を確実に開始することができる。
【００６３】
また、急速暖房運転モードに設定されていない場合は、圧縮機の温度が、第１の圧縮機温度よりも低い第２の圧縮機温度以下となった時に、ハードウエア（温度検出部）からの割込信号により、制御部のスリープ状態が解除されて圧縮機加熱モードで制御を行うので、さらに待機電力を低減できると共に、低外気温時における圧縮機内での冷媒の凝縮を防止することができる。従って、オイルフォーミング現象により潤滑油が圧縮機外へ持ち出されて潤滑油が減少し、圧縮機の摺動部が潤滑不良となることを防ぐことができ、圧縮機の寿命を延ばすことができる。
【００６４】
１  室外機
２  室外機制御部
２ａ  マイコン
３  整流回路
４  インバータ
５  圧縮機
６  ファンモータ
７  センサ入力部
８  各温度センサ
９  各圧力センサ
１１  ヒータ
２０  温度検出部
２１  サーミスタ
２２  コンパレータ
３０  室内機
Ｒ１〜Ｒ４  抵抗
Ａ，Ｂ  割込ポート
Ｃ  出力ポート
Ｄ  Ａ／Ｄポート
【図１】
0005423576.tif 000002
【図２】
0005423576.tif 000003
【図３】
0005423576.tif 000004